(57)【要約】【課題】  光記録媒体に対して三次元的に情報の記録再生を行う場合に高品質な再生信号が得られる光ヘッド装置等を提供する。【解決手段】  レーザ３からの出射光は偏光ビームスプリッタ７により、反射光である第一のビームと透過光である第二のビームとに分割される。第一のビームと第二のビームとは偏光方向が互いに直交している。ディスク２は記録層、１／４波長板層、反射層を有する。ディスク２への情報の記録時には、記録層内を反射層の側へ向かう第一のビームと、記録層を透過し、反射層で反射され、記録層内を反射層と反対の側へ向かう第二のビームとは同一の位置に集光される。ディスク２からの情報の再生時には、第二のビームはシャッタ９で遮断され、記録層で反射された第一のビームは光検出器２０で受光される。【選択図】  図１
2008132994.tif 000002
【特許請求の範囲】
【請求項１】
記録層と反射層とを有し、前記記録層の側から入射し前記記録層内を前記反射層の側へ向かう第一のビームと前記記録層の側から入射し前記記録層内を透過し前記反射層で反射し前記記録層内を前記反射層と反対の側へ向かう第二のビームとの干渉によって前記記録層内に回折格子が形成される光記録媒体において、
前記記録層と前記反射層との間に、前記第一のビーム及び前記第二のビームに対して１／４波長板として作用する１／４波長板層を有することを特徴とする光記録媒体。
【請求項２】
前記光記録媒体が光ディスクであることを特徴とする請求項１記載の光記録媒体。
【請求項３】
光記録媒体を使用対象とする光ヘッド装置であって、
前記光記録媒体は、記録層と反射層とを有し、前記記録層の側から入射し前記記録層内を前記反射層の側へ向かう第一のビームと前記記録層の側から入射し前記記録層内を透過し前記反射層で反射し前記記録層内を前記反射層と反対の側へ向かう第二のビームとの干渉によって前記記録層内に回折格子が形成されるものであり、
前記記録層と前記反射層との間に、前記第一のビーム及び前記第二のビームに対して１／４波長板として作用する１／４波長板層を有しており、
前記第一のビーム及び前記第二のビームを生成するビーム生成手段と、
前記第一のビームと前記第二のビームとを前記記録層内の同一位置に集光するレンズ系と、
前記光記録媒体へ入射する前記第一のビームと前記第二のビームとの偏光状態を互いに異ならせる偏光設定手段と、を備えたことを特徴とする光ヘッド装置。
【請求項４】
前記偏光設定手段は、前記第一のビームと前記第二のビームとを偏光方向が互いに直交する直線偏光とすることを特徴とする請求項３記載の光ヘッド装置。
【請求項５】
前記偏光設定手段は、前記第一のビームと前記第二のビームとを回転方向が互いに逆の円偏光とすることを特徴とする請求項３記載の光ヘッド装置。
【請求項６】
前記ビーム生成手段及び前記偏光設定手段は、入射ビームを反射及び透過させる偏光ビームスプリッタからなることを特徴とする請求項４記載の光ヘッド装置。
【請求項７】
前記ビーム生成手段及び前記偏光設定手段は、入射ビームを反射及び透過させる偏光ビームスプリッタと、この偏光ビームスプリッタを透過した光及び反射した光を透過させる１／４波長板とからなることを特徴とする請求項５記載の光ヘッド装置。
【請求項８】
前記光記録媒体へ入射する前記第一のビーム及び前記第二のビームの一方を遮断するか否かを切り替え可能なビーム遮断手段と、
このビーム遮断手段で遮断されなかった前記第一のビーム及び前記第二のビームの他方による前記回折格子からの反射光を受光する光検出器と、
を更に備えたことを特徴とする請求項３乃至７のいずれかに記載の光ヘッド装置。
【請求項９】
光記録媒体を使用対象とする光ヘッド装置と、ビーム遮断駆動手段とを有し、
前記光記録媒体は、記録層と反射層とを有し、前記記録層の側から入射し前記記録層内を前記反射層の側へ向かう第一のビームと前記記録層の側から入射し前記記録層内を透過し前記反射層で反射し前記記録層内を前記反射層と反対の側へ向かう第二のビームとの干渉によって前記記録層内に回折格子が形成されるものであり、
前記記録層と前記反射層との間に、前記第一のビーム及び前記第二のビームに対して１／４波長板として作用する１／４波長板層を有しており、
前記光ヘッド装置は、
前記第一のビーム及び前記第二のビームを生成するビーム生成手段と、
前記第一のビームと前記第二のビームとを前記記録層内の同一位置に集光するレンズ系と、
前記光記録媒体へ入射する前記第一のビームと前記第二のビームとの偏光状態を互いに異ならせる偏光設定手段と、
前記光記録媒体へ入射する前記第一のビーム及び前記第二のビームの一方を遮断するか否かを切り替え可能なビーム遮断手段と、
前記ビーム遮断手段で遮断されなかった前記第一のビーム及び前記第二のビームの他方による前記回折格子からの反射光を受光する光検出器と、を備えたものであり、
前記ビーム遮断駆動手段は、前記光記録媒体へ情報を記録するときには前記第一のビーム及び前記第二のビームを遮断せず、前記光記録媒体から情報を再生するときには前記第一のビーム及び前記第二のビームの一方を遮断するように、前記ビーム遮断手段を駆動するものであることを特徴とする光学式情報記録再生装置。
【発明の詳細な説明】
【技術分野】
【０００１】
本発明は、光記録媒体に対して三次元的に情報の記録再生を行うための光ヘッド装置等に関する。
【背景技術】
【０００２】
光記録媒体の大容量化技術の一つとして、光記録媒体の面内方向だけでなく厚さ方向も利用することにより、光記録媒体に対して三次元的に情報の記録再生を行う三次元記録再生技術がある。この三次元記録再生技術の一つとして、対向する二つのビームを光記録媒体の記録層内の同一位置に集光して干渉させ、集光点の近傍に微小な回折格子を形成することにより情報の記録を行い、二つのビームのうちどちらか一方をこの回折格子に集光し、回折格子からの反射光を受光することにより情報の再生を行う技術がある。【０００３】
この技術においては、記録層と反射層とを有する反射型の光記録媒体を用いることにより、光記録媒体に対して情報の記録再生を行うための光ヘッド装置の光学系を、光記録媒体の片側のみに集約して簡素化することができる。このような反射型の光記録媒体を使用対象とする三次元記録再生用の光ヘッド装置として、非特許文献１に記載の光ヘッド装置がある。【０００４】
図１０は、非特許文献１に記載の光ヘッド装置を示す光路図である。以下、この図面に基づき説明する。なお、以下の説明では、「光ヘッド装置」及び「光ディスク」に符号を付けたときは、それぞれ「光ヘッド」及び「ディスク」と略称する。【０００５】
光ヘッド１１０において、レーザ６３から出射した光は、凹レンズ６４及び凸レンズ６５により構成されるエキスパンダレンズ系を透過してビーム径が拡大され、一部がビームスプリッタ６６で反射され、１／２波長板６７を透過して偏光方向が所定の方向となり、一部が偏光ビームスプリッタ６８をＰ偏光成分として透過し、一部が偏光ビームスプリッタ６８でＳ偏光成分として反射される。【０００６】
ディスク６２への情報の記録時には、偏光ビームスプリッタ６８を透過した光は、ミラー６９で反射され、１／４波長板７３を透過して直線偏光から円偏光へ変換され、凸レンズ７５，７６により構成されるリレーレンズ系を透過して収束光となり、一部がビームスプリッタ８０で反射され、対物レンズ８１によりディスク６２の記録層内に集光される。一方、偏光ビームスプリッタ６８で反射された光は、１／２波長板７０を透過して偏光方向が９０°回転し、シャッタ７１を通り、偏光ビームスプリッタ７２へＰ偏光として入射してほぼ１００％が透過し、１／４波長板７４を透過して直線偏光から円偏光へ変換され、凸レンズ７７，７８により構成されるリレーレンズ系を透過して発散光となり、一部がビームスプリッタ７９で反射され、一部がビームスプリッタ８０を透過し、対物レンズ８１によりディスク６２の記録層内に集光される。【０００７】
これに対し、ディスク６２からの情報の再生時には、偏光ビームスプリッタ６８を透過した光は一部がディスク６２の記録層内に集光されるが、偏光ビームスプリッタ６８で反射された光はシャッタ７１で遮断され、ディスク６２へ向かわない。ディスク６２の記録層内に集光された光は、ディスク６２の記録層で反射され、対物レンズ８１を逆向きに通り、一部がビームスプリッタ８０で反射され、凸レンズ７６，７５により構成されるリレーレンズ系を逆向きに通り、１／４波長板７３を透過して円偏光から往路と偏光方向が直交した直線偏光へ変換され、ミラー６９で反射され、偏光ビームスプリッタ６８へＳ偏光として入射してほぼ１００％が反射され、凸レンズ８２により光検出器８３の受光部上に集光される。【０００８】
図１１乃至図１３は、図１０における光ディスクに対する入射ビーム及び反射ビームを示す光路図である。以下、図１０乃至図１３に基づき説明する。【０００９】
ディスク６２は、基板８４，８５間に、記録層８６、反射層８７がこの順に挟まれた構成である。光は基板８４を通して記録層８６の側から入射する。図１１及び図１２は、ディスク６２への情報の記録時の入射ビーム及び反射ビームの光路を示している。図１１における入射ビーム８９及び図１２における入射ビーム９１は、それぞれ図１０における偏光ビームスプリッタ６８を透過した光及び偏光ビームスプリッタ６８で反射された光に対応する。これに対し、図１３は、ディスク６２からの情報の再生時の入射ビーム及び反射ビームの光路を示している。図１３における入射ビーム９３は、図１０における偏光ビームスプリッタ６８を透過した光に対応する。【００１０】
図１１において、入射ビーム８９は収束光として対物レンズ８１へ入射し、記録層８６内を反射層８７の側へ向かう途中で集光される。この光は反射層８７で反射されて反射ビーム９０となり、記録層８６を透過し、収束光として対物レンズ８１から出射する。一方、図１２において、入射ビーム９１は発散光として対物レンズ８１へ入射し、記録層８６を透過し、反射層８７で反射されて反射ビーム９２となり、記録層８６内を反射層８７と反対の側へ向かう途中で集光される。この光は発散光として対物レンズ８１から出射する。入射ビーム８９と反射ビーム９２とは記録層８６内の同一の位置に集光されて干渉し、集光点の近傍に微小な回折格子が形成される。【００１１】
これに対し、図１３において、入射ビーム９３は収束光として対物レンズ８１へ入射し、記録層８６内を反射層８７の側へ向かう途中で上記の回折格子８８に集光される。この光は回折格子８８で反射されて反射ビーム９４となり、発散光として対物レンズ８１から出射する。反射ビーム９４は図１０における光検出器８３で受光される。ここで、回折格子８８は記録マークに相当する。入射ビーム８９及び反射ビーム９２の集光点の位置を記録層８６の厚さ方向へ移動させ、記録層８６の面内方向だけでなく厚さ方向にも多数の回折格子を形成することにより、三次元記録再生を行うことができる。【００１２】
なお、光ヘッド１１０には、トラッキングサーボ用及びフォーカスサーボ用として、ミラー１１１、凸レンズ１１２，１１３、円筒レンズ１１４，１１５、光検出器１１６，１１７等が付設されている。【００１３】
【非特許文献１】２００６・オプティカル・データ・ストレージ・トピカル・ミーティング・コンファレンス・プロシーディングス・第１８８ページ〜第１９０ページ
【発明の開示】
【発明が解決しようとする課題】
【００１４】
非特許文献１に記載の光ヘッド装置においては、入射ビーム８９と反射ビーム９２との干渉により回折格子８８が形成される。入射ビーム８９と反射ビーム９２とは記録層８６内の同一の位置に集光し、集光点の近傍での入射ビーム８９及び反射ビーム９２の単位面積当たりの強度は強いため、回折格子８８の集光点の近傍における回折効率は高い。ところで、回折格子８８以外に、入射ビーム８９と反射ビーム９０との干渉、入射ビーム９１と反射ビーム９２との干渉、入射ビーム８９，９１同士の干渉、反射ビーム９０，９２同士の干渉、入射ビーム９１と反射ビーム９０との干渉によってもそれぞれ回折格子が形成される。【００１５】
このうち、入射ビーム９１及び反射ビーム９０は記録層８６内で集光しないことにより、入射ビーム９１及び反射ビーム９０の単位面積当たりの強度は弱いので、入射ビーム９１と反射ビーム９０との干渉により形成される回折格子の回折効率は非常に低い。しかし、入射ビーム８９と反射ビーム９０との干渉により形成される回折格子の入射ビーム８９の集光点の近傍における回折効率、入射ビーム９１と反射ビーム９２との干渉により形成される回折格子の反射ビーム９２の集光点の近傍における回折効率、入射ビーム８９，９１同士の干渉により形成される回折格子の入射ビーム８９の集光点の近傍における回折効率、反射ビーム９０，９２同士の干渉により形成される回折格子の反射ビーム９２の集光点の近傍における回折効率はそれほど低くない。すなわち、入射ビーム８９及び反射ビーム９２の集光点の近傍に、回折効率が高い回折格子８８以外に、回折効率がそれほど低くない四つの回折格子が重なって形成される。【００１６】
入射ビーム９３を収束光として対物レンズ８１へ入射させると、入射ビーム８９と反射ビーム９０との干渉により形成される回折格子、及び入射ビーム９１と反射ビーム９２との干渉により形成される回折格子により、収束光として対物レンズ８１から出射する反射ビームが生じる。この反射ビームは光検出器８３の位置で大きく広がっているため光検出器８３で受光されない。一方、入射ビーム９３を収束光として対物レンズ８１へ入射させると、入射ビーム８９，９１同士の干渉により形成される回折格子、及び反射ビーム９０，９２同士の干渉により形成される回折格子により、発散光として対物レンズ８１から出射する反射ビームが生じる。この反射ビームは反射ビーム９４と同じく光検出器８３で受光される。【００１７】
ところで、回折格子８８は格子の方向が記録層８６の面内方向である反射型の回折格子であるのに対し、入射ビーム８９，９１同士の干渉により形成される回折格子、及び反射ビーム９０，９２同士の干渉により形成される回折格子は、格子の方向が記録層８６の厚さ方向である透過型の回折格子である。ここで、記録層８６の温度が変化すると、記録層８６は膨張又は収縮し、回折格子における格子の間隔が変化する。記録層８６の膨張又は収縮の度合いは面内方向と厚さ方向とで異なるため、回折格子における格子の間隔の変化の度合いは反射型の回折格子と透過型の回折格子とで異なる。このとき、入射ビーム８９，９１同士の干渉により形成される回折格子、及び反射ビーム９０，９２同士の干渉により形成される回折格子により生じる反射ビームは、反射ビーム９４に対して発散の度合いが変化する。その結果、反射ビーム９４が光検出器８３の受光部上に集光される場合、入射ビーム８９，９１同士の干渉により形成される回折格子、及び反射ビーム９０，９２同士の干渉により形成される回折格子により生じる反射ビームは、光検出器８３の位置で広がり、光検出器８３で受光されなくなる。【００１８】
すなわち、記録層８６の温度の変化を考慮すると、入射ビーム８９及び反射ビーム９２の集光点の近傍に形成される回折格子８８以外の四つの回折格子は、いずれも情報の再生に寄与しない回折格子である。このように情報の再生に寄与しない回折格子が形成されると、情報の再生に寄与する回折格子８８の回折効率がその分だけ低下し、再生信号の品質が低下する。【００１９】
本発明の目的は、光記録媒体に対して三次元的に情報の記録再生を行うための光ヘッド装置等における上に述べた課題を解決し、光記録媒体の記録層内に情報の再生に寄与しない回折格子が形成されず、高品質な再生信号が得られる光ヘッド装置等を提供することにある。
【課題を解決するための手段】
【００２０】
前記目的を達成するため、本発明に係る光記録媒体は、記録層と反射層とを有し、前記記録層の側から入射し前記記録層内を前記反射層の側へ向かう第一のビームと前記記録層の側から入射し前記記録層内を透過し前記反射層で反射し前記記録層内を前記反射層と反対の側へ向かう第二のビームとの干渉によって前記記録層内に回折格子が形成される光記録媒体において、
前記記録層と前記反射層との間に、前記第一のビーム及び前記第二のビームに対して１／４波長板として作用する１／４波長板層を有することを特徴とするものである。【００２１】
本発明に係る光ヘッド装置は、光記録媒体を使用対象とする光ヘッド装置であって、
前記光記録媒体は、記録層と反射層とを有し、前記記録層の側から入射し前記記録層内を前記反射層の側へ向かう第一のビームと前記記録層の側から入射し前記記録層内を透過し前記反射層で反射し前記記録層内を前記反射層と反対の側へ向かう第二のビームとの干渉によって前記記録層内に回折格子が形成されるものであり、
前記光記録媒体の前記記録層と前記反射層との間に、前記第一のビーム及び前記第二のビームに対して１／４波長板として作用する１／４波長板層を有しており、
前記第一のビーム及び前記第二のビームを生成するビーム生成手段と、
前記第一のビームと前記第二のビームとを前記記録層内の同一位置に集光するレンズ系と、
前記光記録媒体へ入射する前記第一のビームと前記第二のビームとの偏光状態を互いに異ならせる偏光設定手段と、を備えたことを特徴とするものである。【００２２】
本発明に係る光学式情報記録再生装置は、光ヘッド装置と、光記録媒体へ情報を記録するときには第一のビーム及び第二のビームを遮断せず、前記光記録媒体から情報を再生するときには前記第一のビーム及び前記第二のビームの一方を遮断するように、前記ビーム遮断手段を駆動するビーム遮断駆動手段とを有し、
前記光ヘッド装置は、
前記光記録媒体へ入射する前記第一のビーム及び前記第二のビームの一方を遮断するか否かを切り替え可能なビーム遮断手段と、
このビーム遮断手段で遮断されなかった前記第一のビーム及び前記第二のビームの他方による前記回折格子からの反射光を受光する光検出器とを含むことを特徴とするものである。
【発明の効果】
【００２３】
上に述べたように本発明によれば、光記録媒体に対して三次元的に情報の記録再生を行う場合に高品質な再生信号を得ることができる。その理由は、光記録媒体の記録層内に情報の再生に寄与しない回折格子が形成されないためである。
【発明を実施するための最良の形態】
【００２４】
以下、本発明の実施形態を図に基づいて詳細に説明する。【００２５】
図１は、本発明に係る光ヘッド装置の第一実施形態を示す光路図である。以下、この図面に基づき説明する。【００２６】
本実施形態の光ヘッド１の特徴は、第一のビーム及び第二のビームを生成するビーム生成手段（偏光ビームスプリッタ７）と、第一のビームと第二のビームとをディスク２の記録層内の同一位置に集光するレンズ系（ミラー８から対物レンズ１８まで及びビームスプリッタ１１から対物レンズ１８まで）と、ディスク２へ入射する第一のビームと第二のビームとの偏光状態を互いに異ならせる偏光設定手段（偏光ビームスプリッタ７）と、ディスク２へ入射する第一のビーム及び第二のビームの一方を遮断するか否かを切り替え可能なビーム遮断手段（シャッタ９）と、このビーム遮断手段で遮断されなかった第一のビーム及び第二のビームの他方によるディスク２の記録層からの反射光を受光する光検出器２０とを備えたことにある。以下に詳しく説明する。【００２７】
光ヘッド１において、光源であるレーザ３は、回折格子を外部共振器として用いた外部共振器型の単一モード半導体レーザであり、波長が４０５ｎｍの光を出射する。レーザ３から出射した光は、凹レンズ４及び凸レンズ５により構成されるエキスパンダレンズ系を透過してビーム径が拡大され、１／２波長板６を透過して偏光方向が紙面に対して４５°の方向となり、約５０％が偏光ビームスプリッタ７でＳ偏光成分として反射され、約５０％が偏光ビームスプリッタ７をＰ偏光成分として透過する。ここで、偏光ビームスプリッタ７で反射された光及び偏光ビームスプリッタ７を透過した光はそれぞれ第一のビーム及び第二のビームに相当し、偏光ビームスプリッタ７はビーム生成手段と偏光設定手段とを兼ねた手段に相当する。【００２８】
ディスク２への情報の記録時には、偏光ビームスプリッタ７で反射された光は、ミラー８で反射され、約５０％がビームスプリッタ１０を透過し、凸レンズ１２，１３により構成されるリレーレンズ系を透過して収束光となり、偏光ビームスプリッタ１７へＳ偏光として入射してほぼ１００％が反射され、対物レンズ１８によりディスク２の記録層内に集光される。ディスク２の記録層内に集光された光は、ディスク２の反射層で反射され、対物レンズ１８を逆向きに通り、偏光ビームスプリッタ１７へＰ偏光として入射してほぼ１００％が透過し、干渉フィルタ１６で反射され、凸レンズ１５，１４により構成されるリレーレンズ系を逆向きに通り、約５０％がビームスプリッタ１１で反射され、凸レンズ２１及び円筒レンズ２２により構成されるアナモルフィックレンズ系により非点収差が与えられ、光検出器２３の受光部上に集光される。【００２９】
一方、偏光ビームスプリッタ７を透過した光は、ビーム遮断手段であるシャッタ９を通り、約５０％がビームスプリッタ１１を透過し、凸レンズ１４，１５により構成されるリレーレンズ系を透過して発散光となり、干渉フィルタ１６で反射され、偏光ビームスプリッタ１７へＰ偏光として入射してほぼ１００％が透過し、対物レンズ１８によりディスク２の記録層内に集光される。【００３０】
光検出器２３は、凸レンズ２１及び円筒レンズ２２により構成されるアナモルフィックレンズ系により形成される二つの焦線の中間に設けられており、ディスク２の半径方向に対応する分割線及び接線方向に対応する分割線で四つに分割された受光部を有する。各受光部から出力される電圧信号に基づいて、ディスク２の記録層内における、偏光ビームスプリッタ７で反射された光の集光点に対する偏光ビームスプリッタ７を透過した光の集光点の位置ずれが検出される。ディスク２の厚さ方向の集光点位置ずれである厚さ方向位置ずれ信号は公知の非点収差法により検出され、ディスク２の半径方向の集光点位置ずれである半径方向位置ずれ信号は公知のラジアルプッシュプル法により検出され、ディスク２の接線方向の集光点位置ずれである接線方向位置ずれ信号は公知のタンジェンシャルプッシュプル法により検出される。【００３１】
これに対し、ディスク２からの情報の再生時には、偏光ビームスプリッタ７で反射された光はディスク２の記録層内に集光されるが、偏光ビームスプリッタ７を透過した光はシャッタ９で遮断され、ディスク２へ向かわない。ディスク２の記録層内に集光された光は、ディスク２の記録層で反射され、対物レンズ１８を逆向きに通り、偏光ビームスプリッタ１７へＳ偏光として入射してほぼ１００％が反射され、凸レンズ１３，１２により構成されるリレーレンズ系を逆向きに通り、約５０％がビームスプリッタ１０で反射され、凸レンズ１９により光検出器２０の受光部上に集光される。【００３２】
半導体レーザ２４は波長が６５０ｎｍの光を出射する。半導体レーザ２４から出射した光は、凸レンズ２５を透過して発散光から平行光へ変換され、約５０％がビームスプリッタ２６を透過し、干渉フィルタ１６を透過し、偏光ビームスプリッタ１７を透過し、対物レンズ１８によりディスク２の反射層上に集光される。ディスク２の反射層上に集光された光は、ディスク２の反射層で反射され、対物レンズ１８を逆向きに通り、偏光ビームスプリッタ１７を透過し、干渉フィルタ１６を透過し、約５０％がビームスプリッタ２６で反射され、ミラー２７で反射され、凸レンズ２８及び円筒レンズ２９により構成されるアナモルフィックレンズ系により非点収差が与えられ、光検出器３０の受光部上に集光される。【００３３】
光検出器３０は、凸レンズ２８及び円筒レンズ２９により構成されるアナモルフィックレンズ系により形成される二つの焦線の中間に設けられており、ディスク２の半径方向に対応する分割線及び接線方向に対応する分割線で四つに分割された受光部を有する。ディスク２の反射層には接線方向に平行な溝が形成されており、各受光部から出力される電圧信号に基づいて、ディスク２の反射層に形成された溝に対する半導体レーザ２４から出射した光の集光点の位置ずれが検出される。ディスク２の厚さ方向の集光点位置ずれであるフォーカス誤差信号は公知の非点収差法により検出され、ディスク２の半径方向の集光点位置ずれであるトラック誤差信号は公知のラジアルプッシュプル法により検出される。【００３４】
図２乃至図４に、図１における光ディスクに対する入射ビーム及び反射ビームを示す光路図である。以下、図１乃至図４に基づき説明する。【００３５】
ディスク２は、基板３１，３２間に、記録層３３、１／４波長板層３４、反射層３５がこの順に挟まれた構成である。光は基板３１を通して記録層３３の側から入射する。基板３１，３２の材料としてはガラス、プラスチック等が用いられる。記録層３３の材料としてはフォトポリマ等が用いられる。１／４波長板層３４の材料としては、面内方向に配向した液晶高分子材料、面内方向に周期的な溝が形成された構造複屈折材料、面内方向に周期的な溝が形成され、その上に低屈折率層と高屈折率層とが交互に積層されたフォトニック結晶材料等が用いられる。反射層３５の材料としてはアルミニウム、銀等が用いられる。図２及び図３は、ディスク２への情報の記録時の入射ビーム及び反射ビームの光路を示している。図２における入射ビーム３７及び図３における入射ビーム３９は、それぞれ図１における偏光ビームスプリッタ７で反射された光（第一のビーム）及び偏光ビームスプリッタ７を透過した光（第二のビーム）に対応する。これに対し、図４は、ディスク２からの情報の再生時の入射ビーム及び反射ビームの光路を示している。図４における入射ビーム４１は、図１における偏光ビームスプリッタ７で反射された光（第一のビーム）に対応する。【００３６】
図２において、入射ビーム３７は偏光方向が紙面に垂直な収束光として対物レンズ１８へ入射し、記録層３３内を反射層３５の側へ向かう途中で集光される。この光は１／４波長板層３４を透過して偏光方向が紙面に垂直な直線偏光から円偏光へ変換され、反射層３５で反射されて反射ビーム３８となり、１／４波長板層３４を透過して円偏光から偏光方向が紙面に平行な直線偏光へ変換され、記録層３３を透過し、偏光方向が紙面に平行な収束光として対物レンズ１８から出射する。一方、図３において、入射ビーム３９は偏光方向が紙面に平行な発散光として対物レンズ１８へ入射し、記録層３３を透過し、１／４波長板層３４を透過して偏光方向が紙面に平行な直線偏光から円偏光へ変換され、反射層３５で反射されて反射ビーム４０となり、１／４波長板層３４を透過して円偏光から偏光方向が紙面に垂直な直線偏光へ変換され、記録層３３内を反射層３５と反対の側へ向かう途中で集光される。この光は偏光方向が紙面に垂直な発散光として対物レンズ１８から出射する。入射ビーム３７と反射ビーム４０とは記録層３３内の同一の位置に集光されて干渉し、集光点の近傍に微小な回折格子が形成される。【００３７】
これに対し、図４において、入射ビーム４１は偏光方向が紙面に垂直な収束光として対物レンズ１８へ入射し、記録層３３内を反射層３５の側へ向かう途中で上記の回折格子３６に集光される。この光は回折格子３６で反射されて反射ビーム４２となり、偏光方向が紙面に垂直な発散光として対物レンズ１８から出射する。反射ビーム４２は図１における光検出器２０で受光される。ここで、回折格子３６は記録マークに相当する。入射ビーム３７及び反射ビーム４０の集光点の位置を記録層３３の厚さ方向へ移動させ、記録層３３の面内方向だけでなく厚さ方向にも多数の回折格子を形成することにより、三次元記録再生を行うことができる。【００３８】
本実施形態においては、入射ビーム３７と反射ビーム４０とは記録層３３内では偏光方向が同じであるため干渉し、これにより回折格子３６が形成される。入射ビーム３７と反射ビーム４０とは記録層３３内の同一の位置に集光することにより、集光点の近傍での入射ビーム３７及び反射ビーム４０の単位面積当たりの強度が強いので、回折格子３６の集光点の近傍における回折効率は高い。【００３９】
ところで、回折格子３６以外に、入射ビーム３９と反射ビーム３８とは記録層３３内では偏光方向が同じであるため干渉し、これによっても回折格子が形成される。しかし、入射ビーム３９及び反射ビーム３８は記録層３３内で集光しないことにより、入射ビーム３９及び反射ビーム３８の単位面積当たりの強度が弱いので、入射ビーム３９と反射ビーム３８との干渉により形成される回折格子の回折効率は非常に低い。また、入射ビーム３７と反射ビーム３８とは記録層３３内では偏光方向が互いに直交しているため干渉せず、入射ビーム３９と反射ビーム４０とは記録層３３内では偏光方向が互いに直交しているため干渉せず、入射ビーム３７，３９同士は記録層３３内では偏光方向が互いに直交しているため干渉せず、反射ビーム３８，４０同士は記録層３３内では偏光方向が互いに直交しているため干渉せず、これらにより回折格子は形成されない。【００４０】
すなわち、入射ビーム３７及び反射ビーム４０の集光点の近傍に、回折効率が高い回折格子３６以外に、回折効率がそれほど低くない回折格子は重なって形成されない。このように情報の再生に寄与しない回折格子は形成されないため、情報の再生に寄与する回折格子３６の回折効率が低下せず、高品質な再生信号が得られる。【００４１】
本実施形態では、図１における偏光ビームスプリッタ７を透過した光の光路中にシャッタ９を設け、ディスク２からの情報の再生時には、偏光ビームスプリッタ７を透過した光をシャッタ９で遮断する。これに対し、図１における偏光ビームスプリッタ７で反射された光の光路中にシャッタ９を設け、ディスク２からの情報の再生時には、偏光ビームスプリッタ７で反射された光をシャッタ９で遮断することも可能である。このとき、凸レンズ１９、光検出器２０はビームスプリッタ１１で反射された光の光路中に設けられ、凸レンズ２１、円筒レンズ２２、光検出器２３はビームスプリッタ１０で反射された光の光路中に設けられる。【００４２】
また、本実施形態では、図１における偏光ビームスプリッタ７がビーム生成手段と偏光設定手段とを兼ねている。これに対し、ビーム生成手段と偏光設定手段とを別々に設けることも可能である。例えば、偏光ビームスプリッタ７をビームスプリッタで置き換え、ビームスプリッタで反射された光又はビームスプリッタを透過した光の光路中に１／２波長板を設けてもよい。ここで、１／２波長板が無ければ、ビームスプリッタで反射された光とビームスプリッタを透過した光とは偏光方向が同じである。しかし、１／２波長板を設けると、一方の光は１／２波長板を透過して偏光方向が９０°回転するため、ビームスプリッタで反射された光とビームスプリッタを透過した光とは偏光方向が互いに直交する。この場合、ビームスプリッタはビーム生成手段に相当し、１／２波長板は偏光設定手段に相当する。【００４３】
更に、本実施形態では、図１における偏光ビームスプリッタ７がビーム生成手段に相当し、シャッタ９がビーム遮断手段に相当する。これに対し、ビーム生成手段とビーム遮断手段とを兼ねた手段を設けることも可能である。例えば、１／２波長板６を入射光の光軸の回りに回転できるようにし、シャッタ９を削除するようにしてもよい。ディスク２への情報の記録時には、１／２波長板６を透過した光の偏光方向が紙面に対して４５°の方向となるように１／２波長板６を回転させると、偏光ビームスプリッタ７において反射される光と透過する光とが生成される。これに対し、ディスク２からの情報の再生時には、１／２波長板６を透過した光の偏光方向が紙面に垂直になるように１／２波長板６を回転させると、偏光ビームスプリッタ７において反射される光のみが生成される。この場合、偏光ビームスプリッタ７はビーム生成手段とビーム遮断手段とを兼ねた手段に相当する。【００４４】
図５は、本発明に係る光学式情報記録再生装置の一実施形態を示すブロック図である。以下、図１及び図５に基づき説明する。【００４５】
本実施形態の光学式情報記録再生装置１００において、光ヘッド１は図１に示す本発明に係る光ヘッド装置の第一実施形態である。光ヘッド１はポジショナ４３に搭載されており、ディスク２はスピンドル４４に搭載されている。変調回路４６からスピンドル駆動回路６１までの全ての回路は、コントローラ４５により制御される。【００４６】
変調回路４６は、ディスク２への情報の記録時に、記録データとして外部から入力された信号を変調規則に従って変調する。記録信号生成回路４７は、変調回路４６で変調された信号に基づいて、光ヘッド１内のレーザ３を駆動するための記録信号を生成する。レーザ駆動回路４８は、ディスク２への情報の記録時には、記録信号生成回路４７で生成された記録信号に基づいて、レーザ３へ記録信号に応じた電流を供給してレーザ３を駆動する。これに対し、レーザ駆動回路４８は、ディスク２からの情報の再生時には、レーザ３からの出射光のパワーが一定になるように、レーザ３へ一定の電流を供給してレーザ３を駆動する。【００４７】
増幅回路４９は、ディスク２からの情報の再生時に、光ヘッド１内の光検出器２０の受光部から出力される電圧信号を増幅する。再生信号処理回路５０は、増幅回路４９で増幅された電圧信号に基づいて、ディスク２に記録されたマーク／スペース信号である再生信号の生成、波形等化、二値化を行う。復調回路５１は、再生信号処理回路５０で二値化された信号を復調規則に従って復調し、再生データとして外部へ出力する。【００４８】
ビーム遮断駆動手段であるシャッタ駆動回路５２は、ディスク２への情報の記録時には光ヘッド１内の偏光ビームスプリッタ７を透過した光を遮断せず、ディスク２からの情報の再生時には光ヘッド１内の偏光ビームスプリッタ７を透過した光を遮断するように、図示しないモータにより光ヘッド１内のシャッタ９を駆動する。【００４９】
半導体レーザ駆動回路５３は、ディスク２への情報の記録時及びディスク２からの情報の再生時に、光ヘッド１内の半導体レーザ２４からの出射光のパワーが一定になるように、半導体レーザ２４へ一定の電流を供給して半導体レーザ２４を駆動する。【００５０】
増幅回路５４は、ディスク２への情報の記録時及びディスク２からの情報の再生時に、光ヘッド１内の光検出器３０の各受光部から出力される電圧信号を増幅する。誤差信号生成回路５５は、増幅回路５４で増幅された電圧信号に基づいて、光ヘッド１内の対物レンズ１８を駆動するためのフォーカス誤差信号及びトラック誤差信号を生成する。対物レンズ駆動回路５６は、誤差信号生成回路５５で生成されたフォーカス誤差信号及びトラック誤差信号に基づいて、図示しない電磁駆動型の二軸アクチュエータへフォーカス誤差信号及びトラック誤差信号に応じた電流を供給して、対物レンズ１８をディスク２の厚さ方向及び半径方向へ駆動する。【００５１】
増幅回路５７は、ディスク２への情報の記録時に、光ヘッド１内の光検出器２３の各受光部から出力される電圧信号を増幅する。位置ずれ信号生成回路５８は、増幅回路５７で増幅された電圧信号に基づいて、光ヘッド１内のリレーレンズ系を構成する凸レンズ１４又は凸レンズ１５を駆動するための厚さ方向位置ずれ信号、半径方向位置ずれ信号、接線方向位置ずれ信号を生成する。リレーレンズ駆動回路５９は、ディスク２への情報の記録時及びディスク７からの情報の再生時に、ディスク２の記録層内における、光ヘッド１内の偏光ビームスプリッタ７で反射された光の集光点の位置をディスク２の厚さ方向へ移動させるために、図示しない電磁駆動型の一軸アクチュエータへ移動量に応じた電流を供給して、光ヘッド１内のリレーレンズ系を構成する凸レンズ１２又は凸レンズ１３を、ディスク２の厚さ方向に対応する方向へ駆動する。更に、リレーレンズ駆動回路５９は、ディスク２への情報の記録時に、位置ずれ信号生成回路５８で生成された厚さ方向位置ずれ信号、半径方向位置ずれ信号、接線方向位置ずれ信号に基づいて、図示しない電磁駆動型の三軸アクチュエータへ厚さ方向位置ずれ信号、半径方向位置ずれ信号、接線方向位置ずれ信号に応じた電流を供給して、光ヘッド１内のリレーレンズ系を構成する凸レンズ１４又は凸レンズ１５を、ディスク２の厚さ方向に対応する方向、半径方向に対応する方向、接線方向に対応する方向へ駆動する。【００５２】
ポジショナ制御回路６０は、図示しないモータにより光ヘッド１が搭載されているポジショナ４３をディスク２の半径方向へ移動させ、スピンドル制御回路６１は、図示しないモータによりディスク２が搭載されているスピンドル４４を回転させる。【００５３】
本実施形態の光学式情報記録再生装置１００によれば、光ヘッド１等を備えたことにより、高品質な再生信号が得られる。【００５４】
図６は、本発明に係る光ヘッド装置の第二実施形態を示す光路図である。図７乃至図９は、図６における光ディスクに対する入射ビーム及び反射ビームを示す光路図である。以下、これらの図面に基づき説明する。ただし、図１乃至図４と同じ部分は同じ符号を付すことにより説明を省略する。【００５５】
本実施形態の光ヘッド１’では、偏光ビームスプリッタ１７と対物レンズ１８との間に１／４波長板１０１が設けられている。これに合わせて、凸レンズ１９及び光検出器２０はビームスプリッタ１１で反射された光の光路中に設けられ、凸レンズ２１、円筒レンズ２２及び光検出器２３はビームスプリッタ１０で反射された光の光路中に設けられる。偏光ビームスプリッタ７がビーム生成手段に相当し、偏光ビームスプリッタ７及び１／４波長板１０１が偏光設定手段に相当する。【００５６】
図２乃至図４における入射ビーム３７，３９，４１及び反射ビーム３８，４０，４２はいずれも直線偏光である。これに対し、偏光ビームスプリッタ１７と対物レンズ１８との間に１／４波長板１０１を設けることにより、入射ビーム３７’，３９’，４１’及び反射ビーム３８’，４０’，４２’をいずれも円偏光とすることができる。例えば、入射ビーム３７’は右回り円偏光、入射ビーム３９’は左回り円偏光、入射ビーム４１’は右回り円偏光、反射ビーム３８’は左回り円偏光、反射ビーム４０’は右回り円偏光、反射ビーム４２’は右回り円偏光となる。【００５７】
本実施形態の光ヘッド１’によれば、ディスク２の記録層３３内に互いに異なる回転方向の円偏光同士による回折格子が形成されないので、図１の光ヘッド１と同様の作用及び効果が得られる。【００５８】
本発明の他の実施形態に係る光記録媒体は、記録層と反射層とを有し、前記記録層の側から入射し前記記録層内を前記反射層の側へ向かう第一のビームと前記記録層の側から入射し前記記録層内を透過し前記反射層で反射し前記記録層内を前記反射層と反対の側へ向かう第二のビームとの干渉によって前記記録層内に回折格子が形成されるもの、すなわち、前記記録層を透過して反射層に至る第一のビームと前記反射層で反射して記録層を透過する第二のビームとの干渉によって前記記録層に回折格子が形成される構成としてもよいものである。そして、本発明の他の実施形態に係る光記録媒体は、前記記録層と前記反射層との間に、前記第一のビーム及び前記第二のビームに対して１／４波長板として作用する１／４波長板層を有する構成としてもよいものである。【００５９】
第一のビームＬ１は、記録層を透過して反射層に至る入射ビームＬ１ｉと、反射層で反射して記録層を透過する反射ビームＬ１ｏとに分けられる。同様に、第二のビームＬ２も入射ビームＬ２ｉと反射ビームＬ２ｏとに分けられる。そして、従来の光記録媒体において、入射ビームＬ１ｉと反射ビームＬ２ｏとの干渉を利用して、記録層に回折格子を形成する。このとき、各ビームを符号だけで示すと、Ｌ１ｉ−Ｌ２ｏの組み合わせ以外にもＬ１ｉ−Ｌ１ｏ、Ｌ１ｉ−Ｌ２ｉ、Ｌ１ｏ−Ｌ２ｉ、Ｌ１ｏ−Ｌ２ｏ、Ｌ２ｉ−Ｌ２ｏの組み合わせが存在し、これらの組み合わせによっても記録層に回折格子が形成される。【００６０】
これに対し、本発明の他の実施形態に係る光記録媒体は、反射層と記録層との間に１／４波長板層を入れて、例えばＬ１ｉをＳ波、Ｌ２ｉをＰ波とする。これをＬ１ｉＳ、Ｌ２ｉＰとすると、前述の組み合わせは、１／４波長板層の作用を受けて、Ｌ１ｉＳ−Ｌ２ｏＳ以外に、Ｌ１ｉＳ−Ｌ１ｏＰ、Ｌ１ｉＳ−Ｌ２ｉＰ、Ｌ１ｏＰ−Ｌ２ｉＰ、Ｌ１ｏＰ−Ｌ２ｏＳ、Ｌ２ｉＰ−Ｌ２ｏＳとなる。ここで、Ｌ１ｉＳ−Ｌ１ｏＰ、Ｌ１ｉＳ−Ｌ２ｉＰ、Ｌ１ｏＰ−Ｌ２ｏＳ、Ｌ２ｉＰ−Ｌ２ｏＳは、互いに偏光方向が直交するので回折格子が形成されない。また、Ｌ１ｏＰ−Ｌ２ｉＰは、偏光方向が一致するものの、Ｌ１ｉＳ−Ｌ２ｏＳが回折格子を形成する前又は後の光同士の組み合わせであることにより、光の強度が弱いのでその回折格子は無視できる。したがって、光記録媒体の記録層内に情報の再生に寄与しない回折格子が形成されないので、Ｌ１ｉＳ−Ｌ２ｏＳによる回折格子のみが形成されることになり、高品質な再生信号が得られる。【００６１】
本発明の他の実施形態に係る光ヘッド装置は、上記光記録媒体を使用対象とするものである。そして、本発明の他の実施形態に係る光ヘッド装置の特徴は、前記第一のビーム及び前記第二のビームを生成するビーム生成手段と、前記第一のビームと前記第二のビームとを前記記録層内の同一位置に集光するレンズ系と、前記光記録媒体へ入射する前記第一のビームと前記第二のビームとの偏光状態を互いに異ならせる偏光設定手段とを備えた構成としてもよいものである。【００６２】
ビーム生成手段で生成された第一及び第二のビームは、レンズ系によって光記録媒体の記録層へ集光される。そして、光記録媒体では、記録層を透過して反射層に至る第一のビームと反射層で反射して記録層を透過する第二のビームとの干渉によって、記録層に回折格子が形成される。このとき、記録層と反射層との間には１／４波長板層が設けられ、かつ、光記録媒体へ入射する第一及び第二のビームは偏光設定手段によって偏光状態が互いに異なっている。そのため、前述したように第一のビームの入射ビームと第二のビームの反射ビームとの組み合わせのみによって回折格子が形成されるので、高品質な再生信号が得られる。【００６３】
また、前記偏光設定手段は、前記第一のビームと前記第二のビームとを偏光方向が互いに直交する直線偏光にしてもよく、前記第一のビームと前記第二のビームとを回転方向が互いに逆の円偏光にしてもよい。更に、前記ビーム生成手段及び前記偏光設定手段は、入射ビーム（無偏光のビーム）を反射及び透過させる偏光ビームスプリッタから成るとしてもよく、入射ビーム（無偏光のビーム）を反射及び透過させる偏光ビームスプリッタと、この偏光ビームスプリッタを透過した光及び反射した光を透過させる１／４波長板とから成るとしてもよい。偏光ビームスプリッタを用いた場合は、簡素な構成で両手段を実現できる。【００６４】
また、本発明の他の実施形態に係る光ヘッド装置は、前述の構成に加えて、前記光記録媒体へ入射する前記第一のビーム及び前記第二のビームの一方を遮断するか否かを切り替え可能なビーム遮断手段と、このビーム遮断手段で遮断されなかった前記第一のビーム及び前記第二のビームの他方による前記回折格子からの反射光を受光する光検出器と、を備えてもよい。ビーム遮断手段で第一及び第二のビームを遮断しないときは、これらのビームが光記録媒体に到達して回折格子を形成することにより、情報を記録できる。一方、ビーム遮断手段で第一及び第二のビームの一方を遮断するときは、他方のビームのみが光記録媒体に到達して回折格子で反射することにより、情報を再生できる。【００６５】
本発明の他の実施形態に係る光学式情報記録再生装置は、上記光ヘッド装置と、ビーム遮断駆動手段とを備えた構成としてもよいものである。このビーム遮断駆動手段は、前記光記録媒体へ情報を記録するときには前記第一のビーム及び前記第二のビームを遮断せず、前記光記録媒体から情報を再生するときには前記第一のビーム及び前記第二のビームの一方を遮断するように、前記ビーム遮断手段を駆動する。本発明の他の実施形態に係る光学式情報記録再生装置によれば、本発明の他の実施形態に係る光ヘッド装置等を備えたことにより、高品質な再生信号が得られる。【００６６】
本発明の他の実施形態に係る光ヘッド装置は、光記録媒体を使用対象とし、光源、ビーム生成手段、対物レンズを含むレンズ系、ビーム遮断手段、光検出器、偏光設定手段等を有する構成としてもよいものである。光記録媒体は、記録層と反射層とを有し、前記記録層の側から光が入射し、前記記録層と前記反射層との間に、透過光に対して１／４波長板として作用する１／４波長板層を有する。レンズ系は、前記第一及び第二のビームを前記光記録媒体へ導き、前記記録層内を前記反射層の側へ向かう前記第一のビームと、前記記録層を透過し、前記反射層で反射され、前記記録層内を前記反射層と反対の側へ向かう前記第二のビームとを前記記録層内の同一の位置に集光する。ビーム遮断手段は、前記ビーム生成手段から前記対物レンズへ向かう前記第一又は第二のビームを遮断するか否かを切り替え可能な、例えばシャッタである。光検出器は、前記記録層からの前記第一又は第二のビームの反射光を受光する。偏光設定手段は、前記光記録媒体へ入射する前記第一のビームと前記第二のビームとの偏光状態を互いに直交させる。【００６７】
本発明の他の実施形態に係る光学式情報記録再生装置は、上記光ヘッド装置と、ビーム遮断駆動手段とを有する構成としてもよいものである。ビーム遮断駆動手段は、前記光記録媒体への情報の記録時には前記第一及び第二のビームを遮断せず、前記光記録媒体からの情報の再生時には前記第一又は第二のビームを遮断するように、前記ビーム遮断手段を駆動する。【００６８】
本発明の他の実施形態に係る光ヘッド装置及び光学式情報記録再生装置においては、記録層と反射層との間に１／４波長板層を有する光記録媒体を用い、光記録媒体へ入射する第一のビームと第二のビームとの偏光状態が互いに直交している。このとき、記録層内を反射層の側へ向かう第一のビームと記録層内を反射層と反対の側へ向かう第二のビームとは偏光状態が同じであるために干渉し、これにより集光点の近傍に情報の再生に寄与する回折格子が形成される。これに対し、記録層内を反射層の側へ向かう第一のビームと記録層内を反射層と反対の側へ向かう第一のビーム、記録層内を反射層の側へ向かう第二のビームと記録層内を反射層と反対の側へ向かう第二のビーム、記録層内を反射層の側へ向かう第一のビームと記録層内を反射層の側へ向かう第二のビーム、記録層内を反射層と反対の側へ向かう第一のビームと記録層内を反射層と反対の側へ向かう第二のビームは、それぞれ偏光状態が互いに直交しているため干渉せず、これらにより情報の再生に寄与しない回折格子は形成されない。したがって、情報の再生に寄与する回折格子の回折効率が低下しないので、高品質な再生信号が得られる。【００６９】
なお、本発明は、言うまでもないが、上記各実施形態に限定されるものではない。例えば、光記録媒体は円盤状の光ディスクとしたが、カード状などの光記録媒体としてもよい。【００７０】
以上、実施形態（及び実施例）を参照して本願発明を説明したが、本願発明は上記実施形態（及び実施例）に限定されるものではない。本願発明の構成や詳細には、本願発明のスコープ内で当業者が理解し得る様々な変更をすることができる。【００７１】
この出願は２００７年４月２５日に出願された日本出願特願２００７−１１６２２８を基礎とする優先権を主張し、その開示の全てをここに取り込む。
【図面の簡単な説明】
【００７２】
【図１】本発明に係る光ヘッド装置の第一実施形態を示す光路図である。
【図２】図１における光ディスクに対する入射ビーム及び反射ビームを示す光路図（ａ）である。
【図３】図１における光ディスクに対する入射ビーム及び反射ビームを示す光路図（ｂ）である。
【図４】図１における光ディスクに対する入射ビーム及び反射ビームを示す光路図（ｃ）である。
【図５】本発明に係る光学式情報記録再生装置の一実施形態を示すブロック図である。
【図６】本発明に係る光ヘッド装置の第二実施形態を示す光路図である。
【図７】図６における光ディスクに対する入射ビーム及び反射ビームを示す光路図（ａ）である。
【図８】図６における光ディスクに対する入射ビーム及び反射ビームを示す光路図（ｂ）である。
【図９】図６における光ディスクに対する入射ビーム及び反射ビームを示す光路図（ｃ）である。
【図１０】従来の光ヘッド装置を示す光路図である。
【図１１】図１０における光ディスクに対する入射ビーム及び反射ビームを示す光路図（ａ）である。
【図１２】図１０における光ディスクに対する入射ビーム及び反射ビームを示す光路図（ｂ）である。
【図１３】図１０における光ディスクに対する入射ビーム及び反射ビームを示す光路図（ｃ）である。
【符号の説明】
【００７３】
１，１’  光ヘッド（光ヘッド装置）
２  ディスク（光ディスク、光記録媒体）
３  レーザ
４  凹レンズ
５  凸レンズ
６  １／２波長板
７  偏光ビームスプリッタ（ビーム生成手段、偏光設定手段）
８  ミラー
９  シャッタ（ビーム遮断手段）
１０、１１  ビームスプリッタ
１２〜１５  凸レンズ
１６  干渉フィルタ
１７  偏光ビームスプリッタ
１８  対物レンズ
１９  凸レンズ
２０  光検出器
２１  凸レンズ
２２  円筒レンズ
２３  光検出器
２４  半導体レーザ
２５  凸レンズ
２６  ビームスプリッタ
２７  ミラー
２８  凸レンズ
２９  円筒レンズ
３０  光検出器
３１，３２  基板
３３  記録層
３４  １／４波長板層
３５  反射層
３６  回折格子
３７，３７’  入射ビーム（第一のビーム）
３８，３８’  反射ビーム（第一のビーム）
３９，３９’  入射ビーム（第二のビーム）
４０，４０’  反射ビーム（第二のビーム）
４１，４１’  入射ビーム（第一のビーム）
４２，４２’  反射ビーム（第一のビーム）
４３  ポジショナ
４４  スピンドル
４５  コントローラ
４６  変調回路
４７  記録信号生成回路
４８  レーザ駆動回路
４９  増幅回路
５０  再生信号処理回路
５１  復調回路
５２  シャッタ駆動回路（ビーム遮断駆動手段）
５３  半導体レーザ駆動回路
５４  増幅回路
５５  誤差信号生成回路
５６  対物レンズ駆動回路
５７  増幅回路
５８  位置ずれ信号生成回路
５９  リレーレンズ駆動回路
６０  ポジショナ駆動回路
６１  スピンドル駆動回路
１００  光学式情報記録再生装置
１０１  １／４波長板（偏光設定手段）
【図１】
2008132994.tif 000003
【図２】
2008132994.tif 000004
【図３】
2008132994.tif 000005
【図４】
2008132994.tif 000006
【図５】
2008132994.tif 000007
【図６】
2008132994.tif 000008
【図７】
2008132994.tif 000009
【図８】
2008132994.tif 000010
【図９】
2008132994.tif 000011
【図１０】
2008132994.tif 000012
【図１１】
2008132994.tif 000013
【図１２】
2008132994.tif 000014
【図１３】
2008132994.tif 000015
【国際調査報告】
2008132994.tif 000016
2008132994.tif 000017
2008132994.tif 000018
2008132994.tif 000019